【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技盤の遊技領域に設けられ、遊技球を受け入れ可能な始動口と、
前記始動口への遊技球の入球があったか否かの判断を行う始動判断手段と、
前記始動判断手段により前記始動口への遊技球の入球があった旨判断されたことに基づいて抽選処理を内部の演算処理を通じて行う内部抽選手段と、
前記内部抽選手段により少なくとも大当たりが当選されることが前記内部の演算処理を通じて決定されたとき、該決定に応じた画像表示演出を所定の時間だけ画像表示した後に前記大当たりに当選した旨を遊技者に示説する画像表示遊技を行う示説遊技手段と、
前記示説遊技手段により前記画像表示遊技が行われたとき、遊技者に有利な大当たり遊技を行う第１の特別遊技実行手段と、
前記遊技領域に設けられ、特定の入球口を含む複数の入球口のいずれか１つに遊技球を振り分け操作可能な振分け装置と、
前記内部抽選手段により前記大当たりとは異なる役当たりが当選されたことに基づいて、前記遊技領域に向けて打ち込まれた遊技球が前記振分け装置に供給可能とされるように開閉動作するとともに、該開閉動作によって前記振分け装置に遊技球が供給されたときには、前記複数の入球口のうちの前記特定の入球口に遊技球が入球されるか否かについての前記振分け装置による振り分け操作によって前記大当たりについての抽選処理を行う役物抽選開閉装置と、
前記役物抽選開閉装置において前記特定の入球口に遊技球が入球される役物当たり遊技が行われたとき、遊技者に有利な大当たり遊技を行う第２の特別遊技実行手段と、
を備える遊技機であって、
前記遊技領域に設けられ、遊技球の受け入れまたは通過が可能な開放口と、
前記開放口への遊技球の受け入れまたは通過を検出する開放口検出手段と、
前記始動口としての内部抽選用始動口、及び可動部材が動作するときにのみ遊技球の入球が可能とされる前記始動口としての役物抽選用始動口と、
前記開放口検出手段により前記開放口への遊技球の受け入れまたは通過があった旨判断されたことに基づいて、前記役物抽選用始動口への遊技球の入球が可能となるように前記可動部材の駆動制御を行う駆動制御手段と、
をさらに備え、
前記内部抽選手段は、
前記始動判断手段により前記内部抽選用始動口への遊技球の入球があった旨判断されたときは、前記大当たり遊技が主に前記画像表示遊技を経由して前記第１の特別遊技実行手段により行われるように前記抽選処理を行う第１の内部抽選手段と、
前記始動判断手段により前記役物抽選用始動口への遊技球の入球があった旨判断されたときは、前記大当たり遊技が主に前記役物当たり遊技を経由して前記第２の特別遊技実行手段により行われるように前記抽選処理を行う第２の内部抽選手段と、
を有するものであり、
前記第１の内部抽選手段による抽選処理において前記大当たりが当選されることが前記内部の演算処理を通じて決定される確率と、前記第２の内部抽選手段による抽選処理において前記大当たりが当選されることが前記内部の演算処理を通じて決定される確率とは同一に設定されてなる
ことを特徴とする遊技機。
【請求項２】
前記役物抽選用始動口に遊技球が入球されることに応じて行われる抽選処理は、
前記内部抽選用始動口に遊技球が入球されることに応じて行われる抽選処理よりも優先的に行われる
請求項１に記載の遊技機。
【請求項３】
前記役物抽選用始動口から遊技盤の奥側に向けた方向には、当該役物抽選用始動口から受け入れた遊技球の通路となる特定始動受入通路が形成されており、
前記可動部材は、
前記特定始動受入通路内に収容される収容位置と、前記遊技盤の盤面から遊技者側に向けて突出する突出位置との間で変位可能であって、当該突出位置にあるときに、前記遊技領域に向けて打ち込まれた遊技球を受け止め可能であり且つ当該受け止めた遊技球を前記特定始動受入通路に誘導可能であると共に、当該突出位置から当該収容位置への切り替わりに際して受け止めた遊技球を溢す受止誘導部材、および
前記役物抽選用始動口の開口領域を小さくする狭小位置と、当該狭小位置よりも前記特定始動受入通路内側であって且つ当該役物抽選用始動口の開口領域を当該狭小位置にあるときよりも大きくする広大位置との間で変位可能であって、当該狭小位置にあるときは当該役物抽選用始動口への遊技球の受け入れが不可能である一方、当該広大位置にあるときは当該役物抽選用始動口への遊技球の受け入れが可能となる受入防止部材
を有する
請求項１または請求項２に記載の遊技機。
【手続補正２】
【補正対象書類名】明細書
【補正対象項目名】０００６
【補正方法】変更
【補正の内容】
【０００６】
こうした目的を達成するため、請求項１に記載の発明では、遊技領域を有し、当該遊技領域に向けて遊技球が打ち込まれる遊技盤と、前記遊技盤の遊技領域に設けられ、遊技球を受け入れ可能な始動口と、前記始動口への遊技球の入球があったか否かの判断を行う始動判断手段と、前記始動判断手段により前記始動口への遊技球の入球があった旨判断されたことに基づいて抽選処理を内部の演算処理を通じて行う内部抽選手段と、前記内部抽選手段により少なくとも大当たりが当選されることが前記内部の演算処理を通じて決定されたとき、該決定に応じた画像表示演出を所定の時間だけ画像表示した後に前記大当たりに当選した旨を遊技者に示説する画像表示遊技を行う示説遊技手段と、前記示説遊技手段により前記画像表示遊技が行われたとき、遊技者に有利な大当たり遊技を行う第１の特別遊技実行手段と、前記遊技領域に設けられ、特定の入球口を含む複数の入球口のいずれか１つに遊技球を振り分け操作可能な振分け装置と、前記内部抽選手段により前記大当たりとは異なる役当たりが当選されたことに基づいて、前記遊技領域に向けて打ち込まれた遊技球が前記振分け装置に供給可能とされるように開閉動作するとともに、該開閉動作によって前記振分け装置に遊技球が供給されたときには、前記複数の入球口のうちの前記特定の入球口に遊技球が入球されるか否かについての前記振分け装置による振り分け操作によって前記大当たりについての抽選処理を行う役物抽選開閉装置と、前記役物抽選開閉装置において前記特定の入球口に遊技球が入球される役物当たり遊技が行われたとき、遊技者に有利な大当たり遊技を行う第２の特別遊技実行手段と、を備える遊技機であって、前記遊技領域に設けられ、遊技球の受け入れまたは通過が可能な開放口と、前記開放口への遊技球の受け入れまたは通過を検出する開放口検出手段と、前記始動口としての内部抽選用始動口、及び可動部材が動作するときにのみ遊技球の入球が可能とされる前記始動口としての役物抽選用始動口と、前記開放口検出手段により前記開放口への遊技球の受け入れまたは通過があった旨判断されたことに基づいて、前記役物抽選用始動口への遊技球の入球が可能となるように前記可動部材の駆動制御を行う駆動制御手段と、をさらに備え、前記内部抽選手段は、前記始動判断手段により前記内部抽選用始動口への遊技球の入球があった旨判断されたときは、前記大当たり遊技が主に前記画像表示遊技を経由して前記第１の特別遊技実行手段により行われるように前記抽選処理を行う第１の内部抽選手段と、前記始動判断手段により前記役物抽選用始動口への遊技球の入球があった旨判断されたときは、前記大当たり遊技が主に前記役物当たり遊技を経由して前記第２の特別遊技実行手段により行われるように前記抽選処理を行う第２の内部抽選手段と、を有するものであり、前記第１の内部抽選手段による抽選処理において前記大当たりが当選されることが前記内部の演算処理を通じて決定される確率と、前記第２の内部抽選手段による抽選処理において前記大当たりが当選されることが前記内部の演算処理を通じて決定される確率とは同一に設定されてなることをその要旨とする。